(57)【要約】      （修正有）【課題】日頃、農薬や農薬に該当しない除草剤等の取り扱いに不慣れな者でも、わずらわしさなく、より安全に、かつ容易に使用できる挟み込み式農薬等の施し用具の提供。【解決手段】除草剤や、アブラムシ、カイガラムシなどを対象とした殺虫剤などを使用する場合、主に浸透移行性のある農薬や農薬に該当しない除草剤等を、ゲル状あるいは保水性のある素材３に含ませたものを、本体１の、植物の茎や葉を挟み込むと同時にその植物の茎や葉に接する部分につけ、本体を、クリップや洗濯ばさみでものを挟み込むような要領で、植物の茎や葉を挟み込むように固定することで農薬や農薬に該当しない除草剤等の成分が植物の茎や葉をとおして、除草や殺虫など農薬や農薬に該当しない除草剤等の役割を行うことを特徴とし、農薬や農薬に該当しない除草剤等や、風雨や、茎のしなりに耐えうる素材で作られた、挟み込み式農薬等施し用具。【選択図】図１
2009225780.tif 000002
【特許請求の範囲】
【請求項１】
除草剤や、アブラムシ、カイガラムシなどを対象とした殺虫剤などを使用する場合、主に浸透移行性のある農薬を、ゲル状あるいは保水性のある素材に含ませたものを、本発明本体の、植物の茎や葉を挟み込むと同時にその植物の茎や葉に接する部分につけ、本発明本体を、クリップや洗濯ばさみでものを挟み込むような要領で、植物の茎や葉を挟み込むように固定することで、農薬成分が植物の茎や葉をとおして、除草や殺虫など農薬の役割を行うことを特徴とし、農薬や、風雨や、茎のしなりに耐えうる素材で作られた、挟み込み式農薬施し用具。
【請求項２】
ゲル状の素材や保水性のある素材に、当初から農薬を含ませてはおかずに、農薬を使用する者が、農薬を自由に選んで、本発明を利用する場合もあることから、当初から、農薬を染み込ませていない保水性のある素材を、本発明本体のうち、植物の茎や葉を挟み込む部分に取り付けておき、農薬を使用する者が、適量の農薬を本発明に染み込ませてから使うようにした請求項１の挟み込み式農薬施し用具。
【請求項３】
本発明本体の、農薬を含んだ、あるいは、含ませる部分については、本発明を何度も使用する再利用の場合があることも考えられるので、本発明の本体のうち、植物の茎や葉を挟み込む部分を交換可能のような、カートリッジ式、あるいは、すでに農薬を含ませてあるゲル状の素材がチューブなどの容器に入っているものを、本発明本体のうち、植物の茎や葉を挟み込む部分に搾り出すものとか、ヘラなどを使ってつけるか、あるいは、裏面に粘着テープがついた平面素材の表面に、農薬を含ませてあるゲル状の素材を、本発明本体のうち、植物の茎や葉を挟み込む部分に貼り付けるようにし、何度も本発明本体を再利用できるようにした請求項１の挟み込み式農薬施し用具。
【請求項４】
農薬を使用する目的のある植物が密集している場合、密集している葉や茎をできるだけまとめて農薬を施したいこともあることから、本発明本体全体を大きくしたり、本発明本体のうち、植物の茎や葉を挟み込む部分の口径を大きくしたり、植物の茎や葉を挟み込む部分を鶴のくちばしのように長く伸ばしたかたち、あるいは、細い茎の植物を挟み込むことのできるように本発明本体のうち、植物の茎や葉を挟み込む部分の口径を小さくした、請求項１の挟み込み式農薬施し用具。
【請求項５】
茎や葉と、本発明本体のうち、植物の茎や葉を挟み込む部分の密着性をさらに高めるため、本発明本体のうち、植物の茎や葉を挟み込む部分と農薬を含んだ、あるいは含ませるためのゲル状あるいは保水性のある素材の間に、柔らかく弾力のあるウレタンやスポンジなどの弾力のある素材や、ブラシの毛のような複数の突起を設けた、請求項１の挟み込み式農薬施し用具。
【請求項６】
本発明本体を、時間が経過すると土にもどるなど、環境を考慮した素材でつくられた、請求項１の挟み込み式農薬施し用具。
【請求項７】
本発明本体の、農薬を含んだ、あるいは、含ませる部分については、ゲル状の素材や保水性のある素材のほか、農薬をタブレットなどの固形状にしたもの、あるいは、農薬を紙などの繊維状の素材に染み込ませたもの、あるいは、紙などの繊維状の素材でつくられた袋のなかに農薬を入れたもの、あるいは、粘土のような練状のものなど、本発明本体を、茎や葉に固定するまでの間、農薬を蓄え保つことができ、本発明本体を茎や葉に固定したのちに、農薬成分を、植物の茎や葉の表面から浸透移行させることができる素材でつくられた、あるいはこれらの素材を組み合わせたものとした、請求項１の挟み込み式農薬施し用具。
【請求項８】
一種類の殺虫剤を施しただけでは効果がうすれるため、ある程度の時間をおいて、異なる種類の殺虫剤をほどこしたほうが、殺虫効果があるとされているアブラムシ用として、即効のある殺虫剤とこれよりも遅効である殺虫剤を本発明本体の、農薬を含んだ、あるいは、含ませる部分に組み合わせるなど、数種類の農薬を、本発明本体の、農薬を含んだ、あるいは、含ませる部分に含ませたものとした、請求項１の挟み込み式農薬施し用具。
【請求項９】
本発明本体を植物の茎や葉に挟み込むため、本発明本体を開閉させるためのばねをスプリングにした、あるいはゴムにするなど、開閉させることが可能なものを取り付けることとした、請求項１の挟み込み式農薬施し用具。
【発明の詳細な説明】
【技術分野】
【０００１】  本発明は、主に浸透移行性のある除草剤や、アブラムシ、カイガラムシなどを対象とした殺虫剤などの農薬を使用する場合、植物の茎や葉を、クリップや洗濯ばさみのように挟み込むように固定することで農薬が施せる挟み込み式農薬施し用具に関するものである。
【背景技術】
【０００２】  従来、除草剤や殺虫剤などの農薬を使用する場合、液状の農薬を散布するか、粒状の農薬を土壌に直接まくことが主流であった。
【発明の開示】
【発明が解決しようとする課題】
【０００３】  そのため、次のような問題点があった。
（イ）粒状の農薬を土壌にまいた場合、特に除草剤は、付近にある有用な植物までも影響を与えて枯らしてしまったり、雨が降ると流されてしまうなど、天候に注意を払う必要があったり、風によって飛散してしまい効果が薄れてしまう問題点があった。
また、液状の農薬を散布した場合、特に除草剤は、散布時に周りにある有用な植物にかかると、同じく枯れてしまったり、散布直後の降雨で洗い流され、効果が減少するなどの問題点もあった。
（ロ）常日頃から、農薬を扱っている専業農家など農業の専門家などは、農薬の適切な取り扱いは期待できるものの、休日のみに農作業を行っている兼業農家や一般家庭など、日頃、農薬の取り扱いに慣れていない者にとっては、原液を薄める作業や、散布する作業、散布後の機材の洗浄など、細心の注意を払いながらの手間のかかる、これらの作業を行うことについて、毒性の強い農薬を取り扱うことの不安や、面倒くささを感じるものであった。
（ハ）住宅密集地での農薬散布は、農薬が飛散するなど環境保全に関心の高まっている今日において、周辺住民からの苦情などもあり、作業がやりにくい状況にあった。
本発明は、以上の問題点を解決しようとするものである。
【課題を解決するための手段】
【０００４】  除草剤や、アブラムシ、カイガラムシなどを対象とした殺虫剤などを使用する場合、主に浸透移行性のある農薬を、ゲル状あるいは保水性のある素材に含ませたものを、本発明本体の、植物の茎や葉を挟み込むと同時にその植物の茎や葉に接する部分につけ、本発明本体を、クリップや洗濯ばさみでものを挟み込むような要領で、植物の茎や葉を挟み込むように固定することで、農薬成分が植物の茎や葉をとおして、除草や殺虫など農薬の役割を行うことを特徴とし、農薬や、風雨や、茎のしなりに耐えうる素材で作られた、挟み込み式農薬施し用具。
【発明の効果】
【０００５】  本発明は、農薬を施す目的のある植物だけを対象に、その茎や葉に挟み込むように固定することで、局部的に農薬としての役割を行うことができる。
したがって、特に除草を行う場合は、他の有用な植物に影響を及ぼすことはない。
また、農薬成分が風で容易に飛ばされたりせず、周辺の環境保全にも効果があり、ゲル状などの素材が茎や葉の表面に密着していることで、雨が降っても容易に農薬成分が洗い流されることなく、高い確率で農薬としての役割を行うことができる。これに加え、繁殖力の強い宿根草や竹などについても、ゲル状あるいは保水性のある素材に含まれた農薬が素材の中に残留している限り、長期継続的な農薬成分の浸透効果が期待できる。
このほか、本発明が、茎や葉に固定されていることで、農薬を施している植物と、まだ施していない植物を区分けする場合の目印にもなる。
さらに、クリップや洗濯ばさみのように、つまみをつかんで、農薬を用いようとする植物の茎や葉を挟み込むように固定するだけであることから、日頃から、農薬の取り扱いに慣れていない者でも、特に除草剤を散布する場合など、散布の仕方が悪く有用な植物まで農薬をかけてしまったり、農薬を薄める作業や、使用後に機材の洗浄をしている際、皮膚に農薬がかかってしまったりなどの危険もなくなり、取り扱いに対する安全性もより高まり、わずらわしさなしに簡単に使用することができる。
【発明を実施するための最良の形態】
【０００６】  以下、本発明の実施の形態を説明する。
（イ）本体（１）のうち、茎や葉を挟み込む凹部（２）の内側に、農薬を含んだ、農薬設置部（３）と、本体（１）を開閉させるためのつまみ部（４）とばね（６）がある。
本発明は、以上の構成によりなっている。
本発明を使用するときは、クリップや洗濯ばさみのように本体（１）のつまみ部（４）をつかみ、農薬設置部（３）がついている凹部（２）を、農薬を使用する目的のある植物の茎や葉を挟み込むように固定する。これにより、農薬設置部（３）から茎や葉に農薬が浸透移行し、農薬としての役割を行うことができる。
【図面の簡単な説明】
【０００７】
【図１】  本発明を指でつかんだ状態を示す斜視図
【図２】  本発明の使用状態を示す斜視図
【符号の説明】
【０００８】  １    本体
２    凹部
３    農薬設置部
４    つまみ部
５    植物の茎
６    ばね
７    指先
【図１】
2009225780.tif 000003
【図２】
2009225780.tif 000004